(57)【要約】【課題】  無線タグを有する複写対象物に対応して無線タグを有する複写結果物を生成することが可能な画像形成方法および画像形成装置を実現する。【解決手段】  複写対象物の画像情報を読み取る原稿読み取り手段と、前記原稿読み取り手段で読み取られた複写対象物の画像情報を記録紙に複写する画像形成手段と、複写対象物に貼付されている無線タグから記憶情報を取り出す通信手段と、記録紙に予め貼付されている無線タグに対して、前記通信手段によって取り出された記憶情報を記憶させる無線タグ書き込み手段と、を備えたことを特徴とする。【選択図】      図１
2005117571.tif 000002
【特許請求の範囲】
【請求項１】
原稿読み取り手段により複写対象物の内容を画像情報として読み取って複写する機能を備えた装置の画像形成方法であって、
複写対象物の画像情報を読み取る原稿読み取りステップと、
複写対象物に貼付されている無線タグから記憶情報を取り出す通信ステップと、
前記原稿読み取りステップで読み取られた複写対象物の画像情報を記録紙に複写する画像形成ステップと、
記録紙に予め貼付されている無線タグに対して、前記通信ステップによって取り出された記憶情報を記憶させる無線タグ書き込みステップと、
により画像形成を行うことを特徴とする画像形成方法。
【請求項２】
原稿読み取り手段により複写対象物の内容を画像情報として読み取って複写する機能を備えた装置の画像形成方法であって、
複写対象物の画像情報を読み取る原稿読み取りステップと、
複写対象物に貼付されている無線タグから記憶情報を取り出す通信ステップと、
前記原稿読み取りステップで読み取られた複写対象物の画像情報を記録紙に複写する画像形成ステップと、
複写対象物の内容が複写された記録紙に無線タグを貼付する無線タグ付加ステップと、
記録紙に貼付される無線タグに対して、前記通信ステップによって取り出された記憶情報を記憶させる無線タグ書き込みステップと、
により画像形成を行うことを特徴とする画像形成方法。
【請求項３】
原稿読み取り手段により複写対象物の内容を画像情報として読み取って複写する機能を備えた装置の画像形成方法であって、
複写対象物の画像情報を読み取る原稿読み取りステップと、
複写対象物に貼付されている無線タグから記憶情報を取り出す通信ステップと、
前記原稿読み取りステップで読み取られた複写対象物の画像情報を記録紙に複写する画像形成ステップと、
記録紙に予め貼付されている無線タグに対して、前記通信ステップによって取り出された記憶情報を記憶させる無線タグ書き込みステップと、
前記複写対象物に貼付されている無線タグの記憶情報を複写動作に応じて更新する情報更新ステップと、
により画像形成を行うことを特徴とする画像形成方法。
【請求項４】
原稿読み取り手段により複写対象物の内容を画像情報として読み取って複写する機能を備えた装置の画像形成方法であって、
複写対象物の画像情報を読み取る原稿読み取りステップと、
複写対象物に貼付されている無線タグから記憶情報を取り出す通信ステップと、
前記原稿読み取りステップで読み取られた複写対象物の画像情報を記録紙に複写する画像形成ステップと、
複写対象物の内容が複写された記録紙に無線タグを貼付する無線タグ付加ステップと、
記録紙に貼付される無線タグに対して、前記通信ステップによって取り出された記憶情報を記憶させる無線タグ書き込みステップと、
前記複写対象物に貼付されている無線タグの記憶情報を複写動作に応じて更新する情報更新ステップと、
により画像形成を行うことを特徴とする画像形成方法。
【請求項５】
前記情報更新ステップでは、前記複写対象物に貼付されている無線タグに、複写動作を行った際の情報を保存する、
ことを特徴とする請求項３または請求項４のいずれかに記載の画像形成方法。
【請求項６】
前記無線タグ書き込みステップでは、記録紙に貼付される無線タグに対して、前記通信ステップによって取り出された前記複写対象物の前記無線タグの記憶情報を複写して記憶させる、
ことを特徴とする請求項１乃至請求項４のいずれかに記載の画像形成方法。
【請求項７】
前記無線タグ書き込みステップでは、記録紙に貼付される無線タグに対して、前記通信ステップによって取り出された前記複写対象物の前記無線タグの記憶情報と、複写動作を行った際の情報とを含むように記憶させる、
ことを特徴とする請求項１乃至請求項４のいずれかに記載の画像形成方法。
【請求項８】
原稿読み取り手段により複写対象物の内容を画像情報として読み取って複写する機能を備えた画像形成装置であって、
複写対象物の画像情報を読み取る原稿読み取り手段と、
前記原稿読み取り手段で読み取られた複写対象物の画像情報を記録紙に複写する画像形成手段と、
複写対象物に貼付されている無線タグから記憶情報を取り出す通信手段と、
記録紙に予め貼付されている無線タグに対して、前記通信手段によって取り出された記憶情報を記憶させる無線タグ書き込み手段と、
を備えたことを特徴とする画像形成装置。
【請求項９】
原稿読み取り手段により複写対象物の内容を画像情報として読み取って複写する機能を備えた画像形成装置であって、
複写対象物の画像情報を読み取る原稿読み取り手段と、
前記原稿読み取り手段で読み取られた複写対象物の画像情報を記録紙に複写する画像形成手段と、
複写対象物に貼付されている無線タグから記憶情報を取り出す通信手段と、
複写対象物の内容が複写された記録紙に無線タグを貼付する無線タグ貼付手段と、
記録紙に貼付される無線タグに対して、前記通信手段によって取り出された記憶情報を記憶させる無線タグ書き込み手段と、
を備えたことを特徴とする画像形成装置。
【請求項１０】
原稿読み取り手段により複写対象物の内容を画像情報として読み取って複写する機能を備えた画像形成装置であって、
複写対象物の画像情報を読み取る原稿読み取り手段と、
前記原稿読み取り手段で読み取られた複写対象物の画像情報を記録紙に複写する画像形成手段と、
複写対象物に貼付されている無線タグから記憶情報を取り出す通信手段と、
記録紙に予め貼付されている無線タグに対して、前記通信手段によって取り出された記憶情報を記憶させる無線タグ書き込み手段と、
前記複写対象物に貼付されている無線タグの記憶情報を複写動作に応じて更新する情報更新手段と、
を備えたことを特徴とする画像形成装置。
【請求項１１】
原稿読み取り手段により複写対象物の内容を画像情報として読み取って複写する機能を備えた画像形成装置であって、
複写対象物の画像情報を読み取る原稿読み取り手段と、
前記原稿読み取り手段で読み取られた複写対象物の画像情報を記録紙に複写する画像形成手段と、
複写対象物に貼付されている無線タグから記憶情報を取り出す通信手段と、
複写対象物の内容が複写された記録紙に無線タグを貼付する無線タグ貼付手段と、
記録紙に貼付される無線タグに対して、前記通信手段によって取り出された記憶情報を記憶させる無線タグ書き込み手段と、
前記複写対象物に貼付されている無線タグの記憶情報を複写動作に応じて更新する情報更新手段と、
を備えたことを特徴とする画像形成装置。
【請求項１２】
前記情報更新手段は、前記複写対象物に貼付されている無線タグに、複写動作を行った際の情報を保存する、
ことを特徴とする請求項１０または請求項１１のいずれかに記載の画像形成装置。
【請求項１３】
前記無線タグ書き込み手段は、記録紙に貼付される無線タグに対して、前記通信手段によって取り出された前記複写対象物の前記無線タグの記憶情報を複写して記憶させる、
ことを特徴とする請求項８乃至請求項１１のいずれかに記載の画像形成装置。
【請求項１４】
前記無線タグ書き込み手段は、記録紙に貼付される無線タグに対して、前記通信手段によって取り出された前記複写対象物の前記無線タグの記憶情報と、複写動作を行った際の情報とを含むように記憶させる、
ことを特徴とする請求項８乃至請求項１１のいずれかに記載の画像形成装置。
【発明の詳細な説明】
【技術分野】
【０００１】
本発明は画像形成方法および画像形成装置に関し、特に、無線タグが貼付された複写対象物を取り扱うことが可能な画像形成方法および画像形成装置に関する。
【背景技術】
【０００２】
「無線タグ」は、無線通信ＩＣとアンテナとを内蔵したチップであり、RF IDとも呼ばれる。そして、この無線通信ＩＣ内にさまざまな情報が記録されており、専用のリーダやライタを使用することで、無線通信ＩＣ内に記憶された情報をリードあるいはライトすることができる。
【０００３】
すなわち、無線タグとは、半導体とアンテナが内部に埋め込まれた、外部と無線で通信して個々のＩＤ（シリアル番号）を識別する電子の荷札（タグ）であるとも言うことができる。電子のタグといっても、アンテナで受信する電波から電源をとるために電池が不要で、耐環境性も高く、低コストに製造可能である。
【０００４】
また、この無線タグは小型かつ薄型であるため、各種の商品を製造あるいは流通させる段階で固有識別するために用いられつつある。
【０００５】
そして、書籍などにも無線タグを貼付することが可能であるが、無線タグに対応した複写装置は存在していなかった。
【０００６】
なお、複写装置の分野で類似する技術としては、以下の特許文献１〜特許文献４にあるように、複写機能に関連する専用画像を複写対象物に予め記録（印刷）しておいて、その特殊画像に応じて複写装置の動作が制御されるものであった。
【特許文献１】特開２００２−３０５６４６号公報（第１頁、図１）
【特許文献２】特開平１１−２２０６１０号公報（第１頁、図１）
【特許文献３】特開平１０−１２６６０７号公報（第１頁、図１）
【特許文献４】特開平１０−２８５３８５号公報（第１頁、図１）
【発明の開示】
【発明が解決しようとする課題】
【０００７】
以上の特許文献１〜特許文献４にあるような技術は、専用の画像を用いているため、複写を繰り返していくうちに画像が劣化し、正確な読み取りができず、意図した動作を行えない事態になることがある。
【０００８】
複写動作の履歴などの画像形成装置の動作に応じた情報を、前記の専用画像に対して容易に埋め込むためのシステムが提案されていなかった。このため、専用画像に変更を加えるのであれば、大がかりな管理装置が必要となる問題があった。
【０００９】
本発明は以上の課題に鑑みてなされたものであって、無線タグを有する複写対象物に対応して無線タグを有する複写結果物を生成することが可能な画像形成方法および画像形成装置を実現することを目的とする。
【００１０】
また、本発明は以上の課題に鑑みてなされたものであって、無線タグを有する複写対象物に対応して無線タグを有する複写結果物を生成し、複写結果物の記憶情報を所望の状態で取り扱うことが可能な画像形成方法および画像形成装置を実現することを目的とする。
【００１１】
また、本発明は以上の課題に鑑みてなされたものであって、無線タグを有する複写対象物に対応して無線タグを有する複写結果物を生成し、複写結果物の記憶情報を所望の状態で取り扱い、複写の履歴を管理することが可能な画像形成方法および画像形成装置を実現することを目的とする。
【課題を解決するための手段】
【００１２】
すなわち、上記の課題を解決する手段としての本願発明は以下に述べるようなものである。
【００１３】
（１）請求項１記載の発明は、原稿読み取り手段により複写対象物の内容を画像情報として読み取って複写する機能を備えた装置の画像形成方法であって、複写対象物の画像情報を読み取る原稿読み取りステップと、複写対象物に貼付されている無線タグから記憶情報を取り出す通信ステップと、前記原稿読み取りステップで読み取られた複写対象物の画像情報を記録紙に複写する画像形成ステップと、記録紙に予め貼付されている無線タグに対して、前記通信ステップによって取り出された記憶情報を記憶させる無線タグ書き込みステップと、により画像形成を行うことを特徴とする画像形成方法である。
【００１４】
また、請求項８記載の発明は、原稿読み取り手段により複写対象物の内容を画像情報として読み取って複写する機能を備えた画像形成装置であって、複写対象物の画像情報を読み取る原稿読み取り手段と、前記原稿読み取り手段で読み取られた複写対象物の画像情報を記録紙に複写する画像形成手段と、複写対象物に貼付されている無線タグから記憶情報を取り出す通信手段と、記録紙に予め貼付されている無線タグに対して、前記通信手段によって取り出された記憶情報を記憶させる無線タグ書き込み手段と、を備えたことを特徴とする画像形成装置である。
【００１５】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報を記録紙に予め貼付されている無線タグに対して記憶させる。
【００１６】
（２）請求項２記載の発明は、原稿読み取り手段により複写対象物の内容を画像情報として読み取って複写する機能を備えた装置の画像形成方法であって、複写対象物の画像情報を読み取る原稿読み取りステップと、複写対象物に貼付されている無線タグから記憶情報を取り出す通信ステップと、前記原稿読み取りステップで読み取られた複写対象物の画像情報を記録紙に複写する画像形成ステップと、複写対象物の内容が複写された記録紙に無線タグを貼付する無線タグ付加ステップと、記録紙に貼付される無線タグに対して、前記通信ステップによって取り出された記憶情報を記憶させる無線タグ書き込みステップと、により画像形成を行うことを特徴とする画像形成方法である。
【００１７】
また、請求項９記載の発明は、原稿読み取り手段により複写対象物の内容を画像情報として読み取って複写する機能を備えた画像形成装置であって、複写対象物の画像情報を読み取る原稿読み取り手段と、前記原稿読み取り手段で読み取られた複写対象物の画像情報を記録紙に複写する画像形成手段と、複写対象物に貼付されている無線タグから記憶情報を取り出す通信手段と、複写対象物の内容が複写された記録紙に無線タグを貼付する無線タグ貼付手段と、記録紙に貼付される無線タグに対して、前記通信手段によって取り出された記憶情報を記憶させる無線タグ書き込み手段と、を備えたことを特徴とする画像形成装置である。
【００１８】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、記録紙に無線タグを貼付し、取り出しておいた記憶情報を記録紙側の無線タグに対して記憶させる。
【００１９】
（３）請求項３記載の発明は、原稿読み取り手段により複写対象物の内容を画像情報として読み取って複写する機能を備えた装置の画像形成方法であって、複写対象物の画像情報を読み取る原稿読み取りステップと、複写対象物に貼付されている無線タグから記憶情報を取り出す通信ステップと、前記原稿読み取りステップで読み取られた複写対象物の画像情報を記録紙に複写する画像形成ステップと、記録紙に予め貼付されている無線タグに対して、前記通信ステップによって取り出された記憶情報を記憶させる無線タグ書き込みステップと、前記複写対象物に貼付されている無線タグの記憶情報を複写動作に応じて更新する情報更新ステップと、により画像形成を行うことを特徴とする画像形成方法である。
【００２０】
また、請求項１０記載の発明は、原稿読み取り手段により複写対象物の内容を画像情報として読み取って複写する機能を備えた画像形成装置であって、複写対象物の画像情報を読み取る原稿読み取り手段と、前記原稿読み取り手段で読み取られた複写対象物の画像情報を記録紙に複写する画像形成手段と、複写対象物に貼付されている無線タグから記憶情報を取り出す通信手段と、記録紙に予め貼付されている無線タグに対して、前記通信手段によって取り出された記憶情報を記憶させる無線タグ書き込み手段と、前記複写対象物に貼付されている無線タグの記憶情報を複写動作に応じて更新する情報更新手段と、を備えたことを特徴とする画像形成装置である。
【００２１】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、取り出しておいた記憶情報を記録紙に予め貼付されている無線タグに対して記憶させ、さらに、複写対象物に貼付されている無線タグの記憶情報を複写動作に応じて更新する。
【００２２】
（４）請求項４記載の発明は、原稿読み取り手段により複写対象物の内容を画像情報として読み取って複写する機能を備えた装置の画像形成方法であって、複写対象物の画像情報を読み取る原稿読み取りステップと、複写対象物に貼付されている無線タグから記憶情報を取り出す通信ステップと、前記原稿読み取りステップで読み取られた複写対象物の画像情報を記録紙に複写する画像形成ステップと、複写対象物の内容が複写された記録紙に無線タグを貼付する無線タグ付加ステップと、記録紙に貼付される無線タグに対して、前記通信ステップによって取り出された記憶情報を記憶させる無線タグ書き込みステップと、前記複写対象物に貼付されている無線タグの記憶情報を複写動作に応じて更新する情報更新ステップと、により画像形成を行うことを特徴とする画像形成方法である。
【００２３】
また、請求項１１記載の発明は、原稿読み取り手段により複写対象物の内容を画像情報として読み取って複写する機能を備えた画像形成装置であって、複写対象物の画像情報を読み取る原稿読み取り手段と、前記原稿読み取り手段で読み取られた複写対象物の画像情報を記録紙に複写する画像形成手段と、複写対象物に貼付されている無線タグから記憶情報を取り出す通信手段と、複写対象物の内容が複写された記録紙に無線タグを貼付する無線タグ貼付手段と、記録紙に貼付される無線タグに対して、前記通信手段によって取り出された記憶情報を記憶させる無線タグ書き込み手段と、前記複写対象物に貼付されている無線タグの記憶情報を複写動作に応じて更新する情報更新手段と、を備えたことを特徴とする画像形成装置である。
【００２４】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、記録紙に無線タグを貼付し、取り出しておいた記憶情報を記録紙側の無線タグに対して記憶させ、さらに、複写対象物に貼付されている無線タグの記憶情報を複写動作に応じて更新する。
【００２５】
（５）請求項５記載の発明は、前記情報更新ステップでは、前記複写対象物に貼付されている無線タグに、複写動作を行った際の情報を保存する、ことを特徴とする請求項３または請求項４のいずれかに記載の画像形成方法である。
【００２６】
また、請求項１２記載の発明は、前記情報更新手段は、前記複写対象物に貼付されている無線タグに、複写動作を行った際の情報を保存する、ことを特徴とする請求項１０または請求項１１のいずれかに記載の画像形成装置である。
【００２７】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、取り出しておいた記憶情報を記録紙側の無線タグに対して記憶させ、さらに、複写対象物側の無線タグに、複写動作に応じて、複写動作を行った際の情報（複写実行回数の情報、複写実場所の情報、複写実行日時の情報、複写実行画像形成装置機種の情報、複写実行者の情報、など）を保存する。
【００２８】
（６）請求項６記載の発明は、前記無線タグ書き込みステップでは、記録紙に貼付される無線タグに対して、前記通信ステップによって取り出された前記複写対象物の前記無線タグの記憶情報を複写して記憶させる、ことを特徴とする請求項１乃至請求項４のいずれかに記載の画像形成方法である。
【００２９】
また、請求項１３記載の発明は、前記無線タグ書き込み手段は、記録紙に貼付される無線タグに対して、前記通信手段によって取り出された前記複写対象物の前記無線タグの記憶情報を複写して記憶させる、ことを特徴とする請求項８乃至請求項１１のいずれかに記載の画像形成装置である。
【００３０】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報を複写して記録紙側の無線タグに対して記憶させる。
【００３１】
（７）請求項７記載の発明は、前記無線タグ書き込みステップでは、記録紙に貼付される無線タグに対して、前記通信ステップによって取り出された前記複写対象物の前記無線タグの記憶情報と、複写動作を行った際の情報とを含むように記憶させる、ことを特徴とする請求項１乃至請求項４のいずれかに記載の画像形成方法である。
【００３２】
また、請求項１４記載の発明は、前記無線タグ書き込み手段は、記録紙に貼付される無線タグに対して、前記通信手段によって取り出された前記複写対象物の前記無線タグの記憶情報と、複写動作を行った際の情報とを含むように記憶させる、ことを特徴とする請求項８乃至請求項１１のいずれかに記載の画像形成装置である。
【００３３】
これらの発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報と、複写動作を行った際の情報（複写実行回数の情報、複写実場所の情報、複写実行日時の情報、複写実行画像形成装置機種の情報、複写実行者の情報、など）を併せて記録紙側の無線タグに対して記憶させる。
【発明の効果】
【００３４】
以上、説明したように、本発明によれば、以下のような効果が得られる。
【００３５】
（１）請求項１と請求項８とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報を記録紙に予め貼付されている無線タグに対して記憶させる。
【００３６】
この結果、無線タグを有する複写対象物に対応して無線タグを有する複写結果物を生成することが可能になる。
【００３７】
（２）請求項２と請求項９とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、記録紙に無線タグを貼付し、取り出しておいた記憶情報を記録紙側の無線タグに対して記憶させる。
【００３８】
この結果、無線タグを有する複写対象物に対応して無線タグを有する複写結果物を生成することが可能になる。
【００３９】
（３）請求項３と請求項１０とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、取り出しておいた記憶情報を記録紙に予め貼付されている無線タグに対して記憶させ、さらに、複写対象物に貼付されている無線タグの記憶情報を複写動作に応じて更新する。
【００４０】
この結果、無線タグを有する複写対象物に対応して無線タグを有する複写結果物を生成し、複写結果物の記憶情報を所望の状態で取り扱い、複写の履歴を管理することが可能になる。
【００４１】
（４）請求項４と請求項１１とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、記録紙に無線タグを貼付し、取り出しておいた記憶情報を記録紙側の無線タグに対して記憶させ、さらに、複写対象物に貼付されている無線タグの記憶情報を複写動作に応じて更新する。
【００４２】
この結果、無線タグを有する複写対象物に対応して無線タグを有する複写結果物を生成し、複写結果物の記憶情報を所望の状態で取り扱い、複写の履歴を管理することが可能になる。
【００４３】
（５）請求項５と請求項１２とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、取り出しておいた記憶情報を記録紙側の無線タグに対して記憶させ、さらに、複写対象物側の無線タグに、複写動作に応じて、複写動作を行った際の情報（複写実行回数の情報、複写実場所の情報、複写実行日時の情報、複写実行画像形成装置機種の情報、複写実行者の情報、など）を保存する。
【００４４】
この結果、無線タグを有する複写対象物に対応して無線タグを有する複写結果物を生成し、複写結果物の記憶情報を所望の状態で取り扱い、複写の履歴を管理することが可能になる。
【００４５】
（６）請求項６と請求項１３とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報を複写して記録紙側の無線タグに対して記憶させる。
【００４６】
この結果、無線タグを有する複写対象物に準拠して対応した状態の無線タグを有する複写結果物を生成することが可能になる。
【００４７】
（７）請求項７と請求項１４とに記載の発明では、複写対象物の内容を画像情報として読み取って複写する際に、複写対象物の画像情報を読み取ると共に複写対象物に貼付されている無線タグから記憶情報を取り出しておき、読み取られた複写対象物の画像情報を記録紙に複写し、さらに、取り出しておいた記憶情報と、複写動作を行った際の情報（複写実行回数の情報、複写実行場所の情報、複写実行日時の情報、複写実行画像形成装置機種の情報、複写実行者の情報、など）を併せて記録紙側の無線タグに対して記憶させる。
【００４８】
この結果、無線タグを有する複写対象物に対応して無線タグを有する複写結果物を生成し、複写結果物の記憶情報を所望の状態で取り扱うと共に、複写の履歴を管理することが可能になる。
【発明を実施するための最良の形態】
【００４９】
以下、図面を参照して本発明の実施の形態例を詳細に説明する。なお、以下の実施の形態例では、原稿読み取り手段により複写対象物の内容を画像情報として読み取って複写する機能を備えた画像形成装置（複写機）を具体例にして画像形成装置の説明を行う。ただし、原稿読み取り手段（スキャナ）と画像形成手段（プリンタ部）とがネットワークを介して接続された場合であっても、本発明を適用することが可能である。
【００５０】
〈第１の実施の形態例〉
まず図３を参照して本実施の形態例の画像形成装置が適用される装置の全体構成の機械的構成を説明する。
【００５１】
この図３において、１０は電子写真方式などにより記録紙上に画像を形成する画像形成手段、２０は複写対象物である原稿の画像を読み取ることで画像情報（画像データ）を生成・出力する原稿読み取り手段、である。
【００５２】
ここで、画像形成手段１０は、感光体１１を有し、該感光体１１上に、帯電、露光、現像によりトナー像を形成し、感光体１１に形成されたトナー像を記録紙に転写する像形成ユニット１２、画像が形成される記録紙を収納する給紙部１３ａ、１３ｂ、１３ｃ、１３ｄ、両面画像形成用の記録紙反転部１４及び記録紙上のトナー像を定着する定着器１５を有する。
【００５３】
原稿読取り手段２０は原稿が載置される原稿載置部２１、原稿を搬送し、読み取り位置を形成するプラテンローラ２２、読み取り済み原稿が載置される原稿排紙台２３及び画像光を受光し、画像信号に変換するイメージセンサ２４を有する。
【００５４】
なお、原稿読み取り手段２０には、複写対象物である原稿を読みとりつつ、複写対象物に貼付されている無線タグから記憶情報を取り出す通信手段としてのタグリーダ１５１を備えている。なお、タグリーダ１５１は無線タグから記憶情報を読み出すだけでなく、該記憶情報を更新するタグライタの機能を備えていてもよい。
【００５５】
また、画像形成手段１０には、複写対象物の内容が複写される記録紙に対して無線タグを貼付する無線タグ貼付手段１５２と、記録紙に貼付される無線タグに対して記憶情報を記憶させる無線タグ書き込み手段としてのタグライタ１５３と、が備えられている。
【００５６】
なお、予め無線タグが貼付された記録紙を用いる場合には無線タグ貼付手段１５２を設けることを要しない。
【００５７】
また、この実施の形態例の画像形成装置では、画像形成手段１０は、レーザビームを用いる電子写真方式のもののほか、ＬＥＤプリントヘッドを用いるものや、インクジェット方式のものであってもよい。
【００５８】
つぎに、図１により本実施の形態例の画像形成装置の主要な構成要素の電気的構成を示す。
【００５９】
本発明の実施の形態例の画像形成装置は、原稿読み取り手段により複写対象物の内容を画像情報として読み取って複写する機能を備え、無線タグを有する複写対象物に対応して無線タグを有する複写結果物を生成する機能を備えている。
【００６０】
１１０は画像形成装置１００の各部を制御する制御手段であり、本実施の形態例では、複写対象物の内容を画像情報として読み取って複写する際の制御、無線タグを有する複写対象物に対応して無線タグを有する複写結果物を生成する際の制御、無線タグを有する複写対象物に対応して無線タグを有する複写結果物を生成し、複写結果物の記憶情報を所望の状態で取り扱う際の制御、無線タグを有する複写対象物に対応して無線タグを有する複写結果物を生成し、複写結果物の記憶情報を所望の状態で取り扱い、複写の履歴を管理する際の制御、の機能を備えている。
【００６１】
なお、制御手段１１０は画像形成や画像処理のための制御プログラムを実行しており、その制御プログラムに基づいて本実施の形態例の動作の制御や各種画像処理の制御を実行するものである。また、制御手段１１０は操作部１１１からの設定に応じて動作を制御し、各種状態を表示部１１２に表示する。
【００６２】
１２０は原稿を読み取って画像データを生成する原稿読み取り手段であり、図３の原稿読み取り手段２０の電気的構成部分である。１３０は原稿読み取り手段１２０からの画像データに対して画像形成に必要な各種画像処理を施す画像処理手段である。１４０は画像データを順番に従って画像形成して記録紙上に画像として形成するプリントエンジンからなる画像形成手段であり、図３の画像形成手段１０の電気的構成部分である。
【００６３】
１５１は画像読み取り手段１２０での読み取りの際に複写対象物に貼付されている無線タグから記憶情報を取り出す通信手段としてのタグリーダである。なお、タグリーダ１５１は、無線タグから記憶情報を読み出す機能を最低限備えているものであり、必要に応じて該記憶情報を更新するタグライタの機能を備えていてもよい。
【００６４】
１５２は複写対象物の内容が複写される記録紙に対して無線タグを貼付する無線タグ貼付手段である。１５３は記録紙に貼付される無線タグに対して記憶情報を記憶させる無線タグ書き込み手段としてのタグライタである。
【００６５】
図３は複写対象物２００の一例を示す説明図である。本発明の実施の形態例の画像形成装置は書籍などの複数頁の複写対象物２００を複写して、後処理として複数頁の記録紙を製本して出力する機能を備えている。そして、本発明の実施の形態例の画像形成装置が扱う複写対象物２００としては、書籍のいずれかの位置（表紙など）に非接触記憶媒体としての無線タグ２０１が付加されているとする。
【００６６】
ここで「無線タグ」は、無線通信ＩＣとアンテナとを内蔵したチップであって、この無線通信ＩＣ内にさまざまな情報が記録されている。
【００６７】
この無線タグにはいくつかのタイプが存在するが、パッシブ型と呼ばれる無線タグの場合、無線タグ内のアンテナで外部（タグリーダ）から発信されている電波を拾い、その誘導起電力を利用して無線ＩＣを動作させる。そして、無線ＩＣ内のメモリに記録されているデータを、タグリーダからの電波にあわせて送信したり、あるいはメモリ中のデータを書き換えたりすることができる。
【００６８】
また、この無線タグにはいくつかの構成のものが存在するが、プラスチックフィルム上に無線ＩＣのチップと、アンテナとが埋め込まれていて、シート状の薄型に構成されたものが存在している。このため、本発明の実施の形態例のタグ貼付手段１５２では、複写結果物３００としての記録紙に対して、記録紙用の非接触記憶媒体としての無線タグ３０１を貼付することができる（図３参照）。なお、予め記録紙に非接触記憶媒体としての無線タグ３０１が貼付されたものを使用することもできる。
【００６９】
以上のような画像形成装置において、本実施の形態例の特徴部分の動作について、図５以降のフローチャートを参照して説明する。なお、以下の説明で、特に断りが無い場合には、制御手段１１０の制御であるとする。
【００７０】
まず、制御手段１１０は操作部１１１からの設定により複写動作についての各種モードの設定（複写設定）を行う（ステップＳ５０１）。なお、この複写設定としては、複写対象物２００に非接触記憶媒体としての無線タグ２０１が存在していない場合であっても、複写結果物３００側の無線タグ３０１に情報を添付する、という設定項目を有するものとする。そして、複写動作が可能になった時点でコピーボタンの押下を待ち受けている（ステップＳ５０２）。
【００７１】
コピーボタンの押下があれば（ステップＳ５０２でＹ）、複写対象物２００に非接触記憶媒体としての無線タグ２０１が存在しているか否かを確認する（ステップＳ５０３）。この存在有無の確認は、無線タグ２０１に応じて予め定められた周波数の電波を発信して、その応答があるか否かにより確認することができる。
【００７２】
複写対象物２００に非接触記憶媒体としての無線タグ２０１が存在していれば（ステップＳ５０４でＹ）、無線タグ２０１を有する複写対象物２００に対応して無線タグ３０１を有する複写結果物３００を生成し、複写結果物３００の無線タグ３０１の記憶情報を所望の状態で取り扱い、複写の履歴を管理すべく、情報添付／更新モードの複写動作を行う（ステップＳ５０５）。この情報添付／更新モードの複写動作（ステップＳ５０５）については、後述する。
【００７３】
複写対象物２００に非接触記憶媒体としての無線タグ２０１が存在していなければ（ステップＳ５０４でＮ）、複写設定（Ｓ５０１）を参照する（ステップＳ５０６）。
【００７４】
この複写設定として、複写対象物２００に非接触記憶媒体としての無線タグ２０１が存在していない場合であっても複写結果物３００側の無線タグ３０１に情報を添付する、という設定になっていた場合（ステップＳ５０７でＹ）には、無線タグ３０１を有する複写結果物３００を生成し、複写結果物３００の無線タグ３０１の記憶情報を所望の状態で取り扱い、複写の履歴を管理すべく、情報添付モードの複写動作を行う（ステップＳ５０８）。この情報添付モードの複写動作（ステップＳ５０８）については、後述する。
【００７５】
また、この複写設定として、複写対象物２００に非接触記憶媒体としての無線タグ２０１が存在していない場合には複写結果物３００側に無線タグ３０１での情報を添付することを行わない、という設定になっていた場合（ステップＳ５０７でＮ）には、予め無線タグ３０１を有する記録紙を用いることはせず、または、記録紙に無線タグ３０１を貼付することはせず、通常の画像形成を行う（ステップＳ５０９）。なお、この通常の画像形成についての詳細な説明は省略する。
【００７６】
図６は、複写対象物２００に非接触記憶媒体としての無線タグ２０１が存在していて（ステップＳ５０４でＹ）、無線タグ２０１を有する複写対象物２００に対応して無線タグ３０１を有する複写結果物３００を生成し、複写結果物３００の無線タグ３０１の記憶情報を所望の状態で取り扱い、複写の履歴を管理すべく、情報添付／更新モードの複写動作を行う（ステップＳ５０５）場合の詳細を示すフローチャートである。
【００７７】
まず、複写結果物３００側の非接触記憶媒体としての無線タグ３０１が存在しているかを確認する（ステップＳ６０２）。この場合、複写結果物３００としての記録紙に対して非接触記憶媒体としての無線タグ３０１を貼付する場合には、貼付用の無線タグ３０１が存在しているか、を確認する。
【００７８】
以上の確認により、複写結果物３００側の記録紙に非接触記憶媒体としての無線タグ３０１が存在していなければ（ステップＳ６０２でＮ）、貼付用の無線タグ３０１をセットするようなメッセージを、制御手段１１０が画像形成装置の表示部１１２に対して表示する。（ステップＳ６０３）
【００７９】
以上の確認により、複写結果物３００側の記録紙に非接触記憶媒体としての無線タグ３０１が存在していれば（ステップＳ６０２でＹ）、制御手段１１０は、複写対象物２００の非接触記憶媒体としての無線タグ２０１に記憶されている情報を、タグリーダ１５１により読み出して取得する（ステップＳ６０４）。
【００８０】
ここで、制御手段１１０は、複写設定を確認し（ステップＳ６０５）、複写対象物２００側の無線タグ２０１から複写結果物３００側に無線タグ３０１に記憶情報を複写する際に、そのまま変更を加えずに複写するか、あるいは、複写履歴を含めるようにして変更を加えて複写するか、を確認しておく。
【００８１】
複写対象物２００側の無線タグ２０１から複写結果物３００側に無線タグ３０１に対して変更を加えて記憶情報を複写する場合には（ステップＳ６０５でＹ）、変更を加える箇所についての情報（たとえば、複写動作を行った際の情報（複写実行回数の情報、複写実行場所の情報、複写実行日時の情報、複写実行画像形成装置機種の情報、複写実行者の情報、など）、オリジナル著作物ではなく複写結果物であることを示す情報）を制御手段１１０が取得する（ステップＳ６０６）。そして、制御手段１１０は、以上の変更を加える箇所についての情報と、複写対象物２００側の無線タグ２０１からの情報との両方により、複写結果物３００側の無線タグ３０１に添付すべき情報を生成する（ステップＳ６０７）。
【００８２】
複写対象物２００側の無線タグ２０１から複写結果物３００側に無線タグ３０１に対して変更を加えず記憶情報を複写する場合には（ステップＳ６０５でＮ）、複写対象物２００側の無線タグ２０１からの情報により、複写結果物３００側の無線タグ３０１に添付すべき情報を生成する（ステップＳ６０８）。
【００８３】
ここで、この複写動作する際に、複写対象物２００側の無線タグ２０１に、複写動作を行う際の情報（複写実行回数の情報、複写実場所の情報、複写実行日時の情報、複写実行画像形成装置機種の情報、複写実行者の情報、など）を保存するように、記憶情報の更新を行う（ステップＳ６０９）。このため、タグリーダ１５１は、無線タグから記憶情報を読み出す機能に加え、該記憶情報を更新するタグライタの機能を備えている必要がある。この結果、無線タグ２０１を有する複写対象物２００に対応して無線タグを有する複写結果物を生成し、複写の履歴を管理することが可能になる。すなわち、複写対象物２００側に、複写されたことの履歴を残すことが可能になる。
【００８４】
そして、制御手段１１０は複写動作を実行し、原稿読み取り手段１２０で読み取って得た画像データに基づいて、画像形成手段１４０により記録紙に画像を形成する（ステップＳ６１０）。図２の構成の電子写真方式の画像形成装置の場合、帯電、潜像形成、現像、転写、分離、定着という各ステップを経て、記録紙上に画像データに応じたトナー像を形成する。
【００８５】
定着を完了してトナー像が形成された記録紙に対して、無線タグ貼付手段１５２は無線タグ３０１を貼付する（ステップＳ６１１）。この無線タグ３０１は、薄型のフィルム状になっているため、各種の方式によって記録紙に貼付することが可能である。
【００８６】
その後、無線タグ３０１に添付するために生成しておいた情報を、制御手段１１０の制御のもとでタグライタ１５３が無線タグ３０１に書き込むことで情報の添付を行う（ステップＳ６１２）。
【００８７】
なお、無線タグ３０１が画像形成プロセスに影響を与えない場合には、図２に示す最終工程以外の場所で貼付を行うようにしてもよい。同様に、無線タグ３０１が画像形成プロセスに影響を与えない場合には、図２に示す最終工程以外の場所で情報の添付を行うようにしてもよい。但し、記録紙のジャム発生などの可能性を考慮して、画像形成最終工程の後に貼付（ステップＳ６１１）と情報添付（ステップＳ６１２）とを行うことが最も望ましい。
【００８８】
なお、以上の処理で複写の履歴を管理する場合には、複写対象物２００側の無線タグ２０１から複写回数（あるいは、無線タグ２０１の読み取り回数）を読み出しておき（ステップＳ７０１）、該複写回数（読み取り回数）に対して複写動作を行う回数（画像形成部数など）に併せてインクリメントを行い（ステップＳ７０２）、このインクリメントを行った複写回数（読み取り回数）を、複写対象物２００側の無線タグ２０１に対して更新、あるいは複写結果物３００側の無線タグ３０１に対して書き込むようにする（ステップＳ７０３）。
【００８９】
以上のようにすることで、無線タグ２０１を有する複写対象物２００に対応して無線タグ３０１を有する複写結果物３００を生成し、複写結果物３００の記憶情報を所望の状態で取り扱い、複写の履歴を管理することが可能になる。
【００９０】
図８は、複写対象物２００に非接触記憶媒体としての無線タグ２０１が存在していて（ステップＳ５０４でＹ）、無線タグ２０１を有する複写対象物２００に対応して無線タグ３０１を有する複写結果物３００を生成し、複写結果物３００の無線タグ３０１の記憶情報を所望の状態で取り扱う、情報添付モードの複写動作を行う（ステップＳ５０６）場合の詳細を示すフローチャートである。
【００９１】
まず、複写結果物３００側の非接触記憶媒体としての無線タグ３０１が存在しているかを確認する（ステップＳ８０２）。この場合、複写結果物３００としての記録紙に対して非接触記憶媒体としての無線タグ３０１を貼付する場合には、貼付用の無線タグ３０１が存在しているか、を確認する。
【００９２】
以上の確認により、複写結果物３００側の記録紙に非接触記憶媒体としての無線タグ３０１が存在していなければ（ステップＳ８０２でＮ）、貼付用の無線タグ３０１をセットするようなメッセージを、制御手段１１０が画像形成装置の表示部１１２に対して表示する。（ステップＳ８０３）
【００９３】
以上の確認により、複写結果物３００側の記録紙に非接触記憶媒体としての無線タグ３０１が存在していれば（ステップＳ８０２でＹ）、制御手段１１０は、複写対象物２００の非接触記憶媒体としての無線タグ２０１に記憶されている情報を、タグリーダ１５１により読み出して取得する（ステップＳ８０４）。
【００９４】
ここで、制御手段１１０は、複写設定を確認し（ステップＳ８０５）、複写対象物２００側の無線タグ２０１から複写結果物３００側に無線タグ３０１に記憶情報を複写する際に、そのまま変更を加えずに複写するか、あるいは、複写履歴を含めるようにして変更を加えて複写するか、を確認しておく。
【００９５】
複写対象物２００側の無線タグ２０１から複写結果物３００側に無線タグ３０１に対して変更を加えて記憶情報を複写する場合には（ステップＳ８０５でＹ）、変更を加える箇所についての情報（たとえば、複写動作を行った際の情報（複写実行回数の情報、複写実行場所の情報、複写実行日時の情報、複写実行画像形成装置機種の情報、複写実行者の情報、など）、オリジナル著作物ではなく複写結果物であることを示す情報）を制御手段１１０が取得する（ステップＳ８０６）。そして、制御手段１１０は、以上の変更を加える箇所についての情報と、複写対象物２００側の無線タグ２０１からの情報との両方により、複写結果物３００側の無線タグ３０１に添付すべき情報を生成する（ステップＳ８０７）。
【００９６】
複写対象物２００側の無線タグ２０１から複写結果物３００側に無線タグ３０１に対して変更を加えず記憶情報を複写する場合には（ステップＳ８０５でＮ）、複写対象物２００側の無線タグ２０１からの情報により、複写結果物３００側の無線タグ３０１に添付すべき情報を生成する（ステップＳ８０８）。
【００９７】
そして、制御手段１１０は複写動作を実行し、原稿読み取り手段１２０で読み取って得た画像データに基づいて、画像形成手段１４０により記録紙に画像を形成する（ステップＳ８０９）。図２の構成の電子写真方式の画像形成装置の場合、帯電、潜像形成、現像、転写、分離、定着という各ステップを経て、記録紙上に画像データに応じたトナー像を形成する。
【００９８】
定着を完了してトナー像が形成された記録紙に対して、無線タグ貼付手段１５２は無線タグ３０１を貼付する（ステップＳ８１０）。この無線タグ３０１は、薄型のフィルム状になっているため、各種の方式によって記録紙に貼付することが可能である。
【００９９】
その後、無線タグ３０１に添付するために生成しておいた情報を、制御手段１１０の制御のもとでタグライタ１５３が無線タグ３０１に書き込むことで情報の添付を行う（ステップＳ８１１）。
【０１００】
なお、無線タグ３０１が画像形成プロセスに影響を与えない場合には、図２に示す最終工程以外の場所で貼付を行うようにしてもよい。同様に、無線タグ３０１が画像形成プロセスに影響を与えない場合には、図２に示す最終工程以外の場所で情報の添付を行うようにしてもよい。但し、記録紙のジャム発生などの可能性を考慮して、画像形成最終工程の後に貼付（ステップＳ８１０）と情報添付（ステップＳ８１１）とを行うことが最も望ましい。
【０１０１】
以上のようにすることで、無線タグ２０１を有する複写対象物２００に対応して無線タグ３０１を有する複写結果物３００を生成し、複写結果物３００の記憶情報を所望の状態で取り扱うことが可能になる。
【０１０２】
また、以上の場合、複写設定によっては、無線タグを有しない複写対象物に対しても、無線タグ３０１を有する複写結果物３００を生成して、複写結果物３００の記憶情報を所望の状態で取り扱うことが可能になる。
【０１０３】
図９は、複写対象物２００に非接触記憶媒体としての無線タグ２０１が存在していて（ステップＳ５０４でＹ）、無線タグ２０１を有する複写対象物２００に対応して無線タグ３０１を有する複写結果物３００を生成し、複写結果物３００の無線タグ３０１の記憶情報を所望の状態で取り扱う、情報添付モードの複写動作を行う（ステップＳ５０６）場合の、別の動作例の詳細を示すフローチャートである。
【０１０４】
ここでは、予め記録紙に非接触記憶媒体としての無線タグ３０１が貼付されたものを使用する場合について説明する。なお、このような専用の記録紙を使用するため、タグ貼付手段１５２（図１、図２）は必要としない。
【０１０５】
まず、複写結果物３００側の非接触記憶媒体としての無線タグ３０１が存在しているかを確認する（ステップＳ９０２）。この場合、予め記録紙に非接触記憶媒体としての無線タグ３０１が貼付されたものを使用する場合には専用の無線タグ貼付済み記録紙がいずれかの給紙トレイに存在しているか、を確認する。
【０１０６】
以上の確認により、複写結果物３００側の記録紙に非接触記憶媒体としての無線タグ３０１が存在していなければ（ステップＳ９０２でＮ）、専用の無線タグ貼付済み記録紙をセットするようなメッセージを、制御手段１１０が画像形成装置の表示部１１２に対して表示する。（ステップＳ９０３）
【０１０７】
以上の確認により、複写結果物３００側の記録紙に非接触記憶媒体としての無線タグ３０１が存在していれば（ステップＳ９０２でＹ）、制御手段１１０は、複写対象物２００の非接触記憶媒体としての無線タグ２０１に記憶されている情報を、タグリーダ１５１により読み出して取得する（ステップＳ９０４）。
【０１０８】
ここで、制御手段１１０は、複写設定を確認し（ステップＳ９０５）、複写対象物２００側の無線タグ２０１から複写結果物３００側に無線タグ３０１に記憶情報を複写する際に、そのまま変更を加えずに複写するか、あるいは、複写履歴を含めるようにして変更を加えて複写するか、を確認しておく。
【０１０９】
複写対象物２００側の無線タグ２０１から複写結果物３００側に無線タグ３０１に対して変更を加えて記憶情報を複写する場合には（ステップＳ９０５でＹ）、変更を加える箇所についての情報（たとえば、複写動作を行った際の情報（複写実行回数の情報、複写実行場所の情報、複写実行日時の情報、複写実行画像形成装置機種の情報、複写実行者の情報、など）、オリジナル著作物ではなく複写結果物であることを示す情報）を制御手段１１０が取得する（ステップＳ９０６）。そして、制御手段１１０は、以上の変更を加える箇所についての情報と、複写対象物２００側の無線タグ２０１からの情報との両方により、複写結果物３００側の無線タグ３０１に添付すべき情報を生成する（ステップＳ９０７）。
【０１１０】
複写対象物２００側の無線タグ２０１から複写結果物３００側に無線タグ３０１に対して変更を加えず記憶情報を複写する場合には（ステップＳ９０５でＮ）、複写対象物２００側の無線タグ２０１からの情報により、複写結果物３００側の無線タグ３０１に添付すべき情報を生成する（ステップＳ９０８）。
【０１１１】
そして、制御手段１１０は複写動作を実行し、原稿読み取り手段１２０で読み取って得た画像データに基づいて、画像形成手段１４０により記録紙に画像を形成する（ステップＳ９０９）。図２の構成の電子写真方式の画像形成装置の場合、帯電、潜像形成、現像、転写、分離、定着という各ステップを経て、記録紙上に画像データに応じたトナー像を形成する。
【０１１２】
なお、この動作例では、無線タグ３０１が予め貼付された専用の記録紙を使用するものであるため、そのような記録紙が蓄積された給紙トレイから給紙を行って画像形成を行うようにする。
【０１１３】
その後、無線タグ３０１に添付するために生成しておいた情報を、制御手段１１０の制御のもとでタグライタ１５３が無線タグ３０１に書き込むことで情報の添付を行う（ステップＳ９１０）。
【０１１４】
なお、この動作例では、予め記録紙に非接触記憶媒体としての無線タグ３０１が貼付されたものを使用する場合であるので、図２に示す最終工程以外の場所で情報の添付（ステップＳ９１０）を行うようにしてもよい。但し、記録紙のジャム発生などの可能性を考慮して、画像形成最終工程の後に情報添付（ステップＳ９１０）を行うことが最も望ましい。
【０１１５】
以上のようにすることで、無線タグ２０１を有する複写対象物２００に対応して無線タグ３０１を有する複写結果物３００を生成し、複写結果物３００の記憶情報を所望の状態で取り扱うことが可能になる。
【０１１６】
また、以上の場合、複写設定によっては、無線タグを有しない複写対象物に対しても、無線タグ３０１を有する複写結果物３００を生成して、複写結果物３００の記憶情報を所望の状態で取り扱うことが可能になる。
【０１１７】
図１０は、複写対象物２００に非接触記憶媒体としての無線タグ２０１が存在していて（ステップＳ５０４でＹ）、無線タグ２０１を有する複写対象物２００に対応して無線タグ３０１を有する複写結果物３００を生成し、複写結果物３００の無線タグ３０１の記憶情報を所望の状態で取り扱い、複写の履歴を管理すべく、情報添付／更新モードの複写動作を行う（ステップＳ５０５）場合の別の動作例の詳細を示すフローチャートである。
【０１１８】
ここでは、予め記録紙に非接触記憶媒体としての無線タグ３０１が貼付されたものを使用する場合について説明する。なお、このような専用の記録紙を使用するため、タグ貼付手段１５２（図１、図２）は必要としない。
【０１１９】
まず、複写結果物３００側の非接触記憶媒体としての無線タグ３０１が存在しているかを確認する（ステップＳ１００２）。この場合、予め記録紙に非接触記憶媒体としての無線タグ３０１が貼付されたものを使用する場合には専用の無線タグ貼付済み記録紙がいずれかの給紙トレイに存在しているか、を確認する。
【０１２０】
以上の確認により、複写結果物３００側の記録紙に非接触記憶媒体としての無線タグ３０１が存在していなければ（ステップＳ１００２でＮ）、専用の無線タグ貼付済み記録紙をセットするようなメッセージを、制御手段１１０が画像形成装置の表示部１１２に対して表示する。（ステップＳ１０３）
【０１２１】
以上の確認により、複写結果物３００側の記録紙に非接触記憶媒体としての無線タグ３０１が存在していれば（ステップＳ１００２でＹ）、制御手段１１０は、複写対象物２００の非接触記憶媒体としての無線タグ２０１に記憶されている情報を、タグリーダ１５１により読み出して取得する（ステップＳ１００４）。
【０１２２】
ここで、制御手段１１０は、複写設定を確認し（ステップＳ１００５）、複写対象物２００側の無線タグ２０１から複写結果物３００側に無線タグ３０１に記憶情報を複写する際に、そのまま変更を加えずに複写するか、あるいは、複写履歴を含めるようにして変更を加えて複写するか、を確認しておく。
【０１２３】
複写対象物２００側の無線タグ２０１から複写結果物３００側に無線タグ３０１に対して変更を加えて記憶情報を複写する場合には（ステップＳ１００５でＹ）、変更を加える箇所についての情報（たとえば、複写動作を行った際の情報（複写実行回数の情報、複写実行場所の情報、複写実行日時の情報、複写実行画像形成装置機種の情報、複写実行者の情報、など）、オリジナル著作物ではなく複写結果物であることを示す情報）を制御手段１１０が取得する（ステップＳ１００６）。そして、制御手段１１０は、以上の変更を加える箇所についての情報と、複写対象物２００側の無線タグ２０１からの情報との両方により、複写結果物３００側の無線タグ３０１に添付すべき情報を生成する（ステップＳ１００７）。
【０１２４】
複写対象物２００側の無線タグ２０１から複写結果物３００側に無線タグ３０１に対して変更を加えず記憶情報を複写する場合には（ステップＳ１００５でＮ）、複写対象物２００側の無線タグ２０１からの情報により、複写結果物３００側の無線タグ３０１に添付すべき情報を生成する（ステップＳ１００８）。
【０１２５】
ここで、この複写動作する際に、複写対象物２００側の無線タグ２０１に、複写動作を行う際の情報（複写実行回数の情報、複写実場所の情報、複写実行日時の情報、複写実行画像形成装置機種の情報、複写実行者の情報、など）を保存するように、記憶情報の更新を行う（ステップＳ１００９）。このため、タグリーダ１５１は、無線タグから記憶情報を読み出す機能に加え、該記憶情報を更新するタグライタの機能を備えている必要がある。この結果、無線タグ２０１を有する複写対象物２００に対応して無線タグを有する複写結果物を生成し、複写の履歴を管理することが可能になる。すなわち、複写対象物２００側に、複写されたことの履歴を残すことが可能になる。
【０１２６】
そして、制御手段１１０は複写動作を実行し、原稿読み取り手段１２０で読み取って得た画像データに基づいて、画像形成手段１４０により記録紙に画像を形成する（ステップＳ１０１０）。図２の構成の電子写真方式の画像形成装置の場合、帯電、潜像形成、現像、転写、分離、定着という各ステップを経て、記録紙上に画像データに応じたトナー像を形成する。
【０１２７】
なお、この動作例では、無線タグ３０１が予め貼付された専用の記録紙を使用するものであるため、そのような記録紙が蓄積された給紙トレイから給紙を行って画像形成を行うようにする。
【０１２８】
その後、無線タグ３０１に添付するために生成しておいた情報を、制御手段１１０の制御のもとでタグライタ１５３が無線タグ３０１に書き込むことで情報の添付を行う（ステップＳ１０１１）。
【０１２９】
なお、この動作例では、予め記録紙に非接触記憶媒体としての無線タグ３０１が貼付されたものを使用する場合であるので、図２に示す最終工程以外の場所で情報の添付（ステップＳ１０１１）を行うようにしてもよい。但し、記録紙のジャム発生などの可能性を考慮して、画像形成最終工程の後に情報添付（ステップＳ１０１１）を行うことが最も望ましい。
【０１３０】
なお、以上の処理で複写の履歴を管理する場合には、複写対象物２００側の無線タグ２０１から複写回数（あるいは、無線タグ２０１の読み取り回数）を読み出しておき（ステップＳ１１０１）、該複写回数（読み取り回数）に対して複写動作を行う回数（画像形成部数など）に併せてインクリメントを行い（ステップＳ１１０２）、このインクリメントを行った複写回数（読み取り回数）を、複写対象物２００側の無線タグ２０１に対して更新、あるいは複写結果物３００側の無線タグ３０１に対して書き込むようにする（ステップＳ１１０３）。
【０１３１】
以上のようにすることで、無線タグ２０１を有する複写対象物２００に対応して無線タグ３０１を有する複写結果物３００を生成し、複写結果物３００の記憶情報を所望の状態で取り扱い、複写の履歴を管理することが可能になる。
【０１３２】
その他の実施の形態例：
以上の実施の形態例の説明では、非接触情報記憶媒体として「無線タグ」を具体例に用いてきたが、同様な手段によって非接触で情報の読み書きが可能な記憶媒体に対しても適用することが可能である。
【図面の簡単な説明】
【０１３３】
【図１】本発明の実施の形態例の画像形成装置の電気的な構成を示す構成ブロック図である。
【図２】本発明の実施の形態例の画像形成装置の機械的な構成を示す構成ブロック図である。
【図３】本発明の実施の形態例で使用する複写対象物の構成を示す説明図である。
【図４】本発明の実施の形態例で使用する複写結果物の構成を示す説明図である。
【図５】本発明の実施の形態例の画像形成装置の動作を示すフローチャートである。
【図６】本発明の実施の形態例の画像形成装置の動作を示すフローチャートである。
【図７】本発明の実施の形態例の画像形成装置の動作を示すフローチャートである。
【図８】本発明の実施の形態例の画像形成装置の動作を示すフローチャートである。
【図９】本発明の実施の形態例の画像形成装置の動作を示すフローチャートである。
【図１０】本発明の実施の形態例の画像形成装置の動作を示すフローチャートである。
【図１１】本発明の実施の形態例の画像形成装置の動作を示すフローチャートである。
【符号の説明】
【０１３４】
１１０  制御手段
１１１  操作部
１１２  表示部
１２０  画像読み取り手段
１３０  画像処理手段
１４０  画像形成手段
１５１  タグリーダ
１５２  タグ貼付手段
１５３  タグライタ
【図１】
2005117571.tif 000003
【図２】
2005117571.tif 000004
【図３】
2005117571.tif 000005
【図４】
2005117571.tif 000006
【図５】
2005117571.tif 000007
【図６】
2005117571.tif 000008
【図７】
2005117571.tif 000009
【図８】
2005117571.tif 000010
【図９】
2005117571.tif 000011
【図１０】
2005117571.tif 000012
【図１１】
2005117571.tif 000013